(57)【特許請求の範囲】
【請求項１】
監視空間にて音響を集音するマイク部と、
前記マイク部が集音した音響から音声の母音部分を抽出する母音抽出部と、
前記母音部分が、所定の悲鳴音量以上であり、且つ所定時間以上継続していると悲鳴であると判定する悲鳴判定部と、
前記悲鳴判定部が悲鳴と判定すると異常信号を出力する異常出力部と、
を有し、
前記悲鳴判定部は、前記母音部分の基本周波数又は音量を解析して揺らぎの有無を判定し、前記揺らぎが無いときは悲鳴と判定しないことを特徴とした悲鳴検知装置。
【請求項２】
前記母音抽出部は、「あ」に相当する音響を抽出する請求項１に記載の悲鳴検知装置。
【請求項３】
前記母音抽出部は、「え」に相当する音響を抽出する請求項１または請求項２の何れか１項に記載の悲鳴検知装置。
【請求項４】
前記母音抽出部は、「お」に相当する音響を抽出する請求項１〜請求項３の何れか１項に記載の悲鳴検知装置。
【請求項５】
前記母音抽出部は、さらに前記母音部分の母音種別を判別し、
前記悲鳴判定部は、前記母音種別が同一の前記母音部分が前記所定時間以上継続していると悲鳴であると判定する請求項１〜請求項４の何れか１項に記載の悲鳴検知装置。
【請求項６】
監視空間にて音響を集音するマイク部と、
前記マイク部が集音した音響から音声の母音部分を抽出する母音抽出部と、
前記母音部分が、所定の悲鳴音量以上であり、且つ所定時間以上継続していると悲鳴であると判定する悲鳴判定部と、
前記悲鳴判定部が悲鳴と判定すると異常信号を出力する異常出力部と、
を有し、
前記悲鳴判定部は、さらに前記集音した音響から当該音響がクリッピングし得る音量を有する音量過大部分を検出し、前記母音部分と連続する前記音量過大部分を当該母音部分の一部とみなして前記判定を行なうことを特徴とした悲鳴検知装置。
【発明の詳細な説明】
【技術分野】
【０００１】
本発明は、事務所や店舗に強盗が押し入った際に、事務所等で発せられる音声を分析し、異常状態を判定する装置に関し、特に、音声の中から悲鳴を検出する悲鳴検知装置に関する。
【背景技術】
【０００２】
従来、強盗が押し入ったことを、入力される音声を分析して悲鳴を検知する悲鳴検知装置が提案されている（特許文献１）。
【０００３】
特許文献１には、通常の音声に基く周波数幅と、悲鳴に基く高音域の周波数幅を分析し、通常音声に基く周波数幅の音量が低下するとともに、悲鳴音声に基く周波数幅の音量が増加すると異常事態とするものである。
【先行技術文献】
【特許文献】
【０００４】
【特許文献１】特開平９−２５１５８３号公報
【発明の概要】
【発明が解決しようとする課題】
【０００５】
しかし、悲鳴においては、必ずしも高音域の周波数と、低音域の周波数の音量がこのような振る舞いをするわけではない。例えば、男声の悲鳴は低音域においても大きな音量が継続し得るために悲鳴として検知されないおそれがある。また例えば、低音域から高音域に推移するサイレン等の人工音は悲鳴として誤検知されるおそれがある。
【０００６】
ところで、悲鳴は、人間がとっさに発する音声なので、人間が最も自然に発する声となる。即ち、とっさの際の口の形状から発せられる声であり、その内容を特定するのは困難である。他方、悲鳴を発する状況は、強盗に襲われたときや恐ろしいものを見たときなどで、「わあー」「きやあー」「あわわあー」のように語尾の母音部分が長音化することが多い。また、母音の中でも悲鳴の語尾に発せられるのは特に「あ」「え」「お」が多いことを、発明者が知覚した。
【０００７】
そこで、本発明は、悲鳴の語尾が母音を所定時間継続した音声であるという特質を利用して、様々な環境音や会話音声を含む監視空間において、悲鳴の検知精度を向上させた悲鳴検知装置を実現することを目的とする。
【課題を解決するための手段】
【０００８】
かかる課題を解決するために本発明は、監視空間にて音響を集音するマイク部と、マイク部が集音した音響から音声の母音部分を抽出する母音抽出部と、抽出した母音部分が、所定の悲鳴音量以上であり、且つ所定時間以上継続していると悲鳴であると判定する悲鳴判定部と、悲鳴判定部が悲鳴と判定すると異常信号を出力する異常出力部と、を有することを特徴とした悲鳴検知装置を提供する。
【０００９】
また、かかる悲鳴検知装置において、母音抽出部は、「あ」に相当する音響を抽出することが好ましい。
【００１０】
また、かかる悲鳴検知装置において、母音抽出部は、「え」に相当する音響を抽出することが好ましい。
【００１１】
また、かかる悲鳴検知装置において、母音抽出部は、「お」に相当する音響を抽出することが好ましい。
【００１２】
また、かかる悲鳴検知装置において、悲鳴判定部は、母音部分の基本周波数又は音量を解析して揺らぎの有無を判定し、揺らぎが無いときは悲鳴と判定しないことが好ましい。
【００１３】
また、かかる悲鳴検知装置において、母音抽出部は、さらに母音部分の母音種別を判別し、悲鳴判定部は、母音種別が同一の母音部分が所定時間以上継続していると悲鳴であると判定することが好ましい。
【００１４】
また、かかる悲鳴検知装置において、悲鳴判定部は、さらに集音した音響から当該音響がクリッピングし得る音量を有する音量過大部分を検出し、母音部分と連続する音量過大部分を当該母音部分の一部とみなして判定を行なうことが好ましい。
【発明の効果】
【００１５】
かかる構成によれば、様々な環境音や会話音声を含む監視空間の音響から、母音部分が所定以上継続し、母音部分の音量が大きいことを検出すると悲鳴を検知できる。つまり、悲鳴を定義する言葉情報や悲鳴が呈する複数種類の周波数の相関的なレベル変動の観察をすることなく、精度よく悲鳴を検知することができる。
【図面の簡単な説明】
【００１６】
【図１】本発明に係る悲鳴検知装置を含んだ監視装置を説明する図である。
【図２】悲鳴検知装置の構成を説明する図である。
【図３】悲鳴検知装置の悲鳴検知処理を説明するフローチャートである。
【発明を実施するための形態】
【００１７】
以下、本発明に係る悲鳴検知装置を含んだ監視装置の一例について図を参照しつつ説明する。
この監視装置は、金品等の重要物が保管された金庫（保管庫）が設置された事務所内或いは店舗内の一室を監視空間とし、監視空間にて集音した音響信号を処理して、押込み強盗の発生時に賊に脅された従業員が発する悲鳴を検知して、警備センターへ異常信号を送信する。
【００１８】
［監視装置１の構成］
図１に監視装置１の全体構成を示す。監視装置１は、悲鳴検知装置２、警備センター装置５、警報装置６等がコントローラ３に接続されて構成される。
【００１９】
悲鳴検知装置２は、金庫１０が設置された部屋内に設置され、金庫１０の周辺にて賊に脅された従業員等が発する悲鳴を検知する。悲鳴検知装置２は、同室或いは別室に設置されたコントローラ３と接続され、悲鳴を検知するとコントローラ３へ異常信号を出力する。
【００２０】
コントローラ３は、電話回線又はインターネット回線等の広域網４を介して警備センター装置５と接続され、悲鳴検知装置２から異常信号が入力されると、当該異常信号を遠隔地の警備センター内に設置された警備センター装置５へ伝送する。また、コントローラ３には同室又は／及び別室に設置されたパトランプ又はブザー等の警報装置６も接続され、悲鳴検知装置２から異常信号が入力されると、当該警報装置６を動作させて従業員等への報知及び賊への威嚇を行なう。
【００２１】
尚、コントローラ３には、さらに監視カメラ７、録画装置８等が接続されてもよく、これらの機器により悲鳴を検知した時間帯における金庫１０の周辺の映像を撮像し、記録することもできる。
【００２２】
以下、図２を参照して悲鳴検知装置２の構成を説明する。
【００２３】
悲鳴検知装置２は、マイク部２０、記憶部２１及び通信部２３が信号処理部２２に接続されてなる。
【００２４】
マイク部２０は、監視空間にて発生した音をデジタル信号（音響信号）に変換する電気回路であり、信号処理部２２に接続される。マイク部２０は、マイクロフォン、増幅器及びＡ／Ｄ変換器などにより構成される。すなわち、マイク部２０は、金庫１０の周辺にて発生した音をマイクロフォンにより集音してアナログ電気信号に変換し、該信号を増幅器により増幅し、増幅された信号をＡ／Ｄ変換器によりデジタルの音響信号に変換して信号処理部２２に出力する。
尚、増幅器は、金庫１０が設置された部屋内で悲鳴が発せられたときに出力される音響信号の音量が７０〜１００ｄＢの範囲内に納まる程度の増幅率に予め設定される。
【００２５】
記憶部２１は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリ装置であり、各種プログラムや各種データを記憶し、信号処理部２２との間でこれらの情報を入出力する。各種データには音響信号、母音特徴量２１１が含まれる。
【００２６】
記憶部２１には音響信号を循環記憶する記憶領域として音響信号格納部２１０が設けられる。悲鳴検知装置２の信号処理部２２は、音響信号格納部２１０にマイク部２０からの音響信号のうち最新の音響信号を予め設定された長さ（例えば１０秒間）だけ時系列に循環記憶する。
【００２７】
母音特徴量２１１は予め作成された母音の特徴量のデータであり、後述する母音抽出部２２０において音響信号から母音を抽出するために参照される。母音特徴量２１１は母音の種類ごとに各母音の種類を表す識別子と対応付けて記憶されている。
【００２８】
母音特徴量２１１の元データは、多数の話者から採取した悲鳴の語尾のサンプル音響信号である。事前に、これらのサンプル音響信号のそれぞれから悲鳴の語尾の周波数特徴量を表すスペクトル包絡のパラメータを抽出し、母音の種類ごとに当該パラメータの分布を学習しておく。本例では、スペクトル包絡を表すパラメータとして８次のＬＰＣケプストラム（ＬＰＣ：Ｌｉｎｅａｒ  Ｐｒｅｄｉｃｔｉｖｅ  Ｃｏｄｉｎｇ）、分布としてＧＭＭ（Ｇａｕｓｓｉａｎ  Ｍｉｘｔｕｒｅ  Ｍｏｄｅｌ；混合正規分布）を用いる。また、悲鳴の語尾の母音として「あ」「え」「お」の３種類を用いる。
【００２９】
すなわち、母音特徴量２１１として、「あ」のＬＰＣケプストラムのＧＭＭ、「え」のＬＰＣケプストラムのＧＭＭ、「お」のＬＰＣケプストラムのＧＭＭのそれぞれが記憶部２１に記憶されている。悲鳴の語尾の周波数特徴量は母音種別が同一であってもそのバリエーションが比較的多いため、このようなバリエーションを的確に表すことのできるＧＭＭは悲鳴の検知に適している。尚、各母音種別の母音特徴量２１１において、さらに男声のＧＭＭと女声のＧＭＭを別々に学習しておくこともできる。
【００３０】
信号処理部２２は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＭＣＵ（Ｍｉｃｒｏ  Ｃｏｎｔｒｏｌ  Ｕｎｉｔ）等の演算装置と当該演算装置上で動作するプログラムにより構成される。信号処理部２２は、母音抽出部２２０、悲鳴判定部２２１及び異常出力部２２２等を含んでなる。演算装置がプログラムに従い動作することで信号処理部２２、母音抽出部２２０、悲鳴判定部２２１及び異常出力部２２２等の各部として動作する。
【００３１】
母音抽出部２２０はマイク部２０が集音した音響信号（入力音響信号）から音声の母音部分を抽出して、抽出結果を悲鳴判定部２２１に出力する。すなわち母音抽出部２２０は、入力音響信号の周波数特徴量をフレームごとに算出して各周波数特徴量を母音特徴量２１１と比較し、各フレームが母音の周波数特徴量を有するか否かを判定して判定結果を悲鳴判定部２２１に出力する。
【００３２】
好ましくは、母音抽出部２２０は、母音の周波数特徴量を有するフレームが判定されたときに当該フレームの母音種別（「あ」、「え」又は「お」）の情報をも悲鳴判定部２２１に出力する。
【００３３】
母音抽出部２２０が抽出する母音「あ」、「え」又は「お」は、悲鳴の語尾として典型的に発声される母音である。「あ」を語尾とする典型例な悲鳴の例としては「きゃー」「ぎゃー」「わー」「うわー」「あわわー」を挙げることができ、「え」を語尾とする典型例な悲鳴の例としては「助けてー」「止めてー」「助けてくれー」「止めてくれー」を挙げることができ、「お」を語尾とする典型例な悲鳴の例としては「止めろー」を挙げることができる。
【００３４】
母音抽出部２２０が算出する周波数特徴量は母音特徴量２１１と同種であり、本例では８次のＬＰＣケプストラムである。フレーム長及びフレーム周期には音声分析に適した値が予め設定される。本例では、フレーム長を２０ｍｓ、フレーム周期を１０ｍｓとする。
【００３５】
具体的には母音抽出部２２０は、入力音響信号の各フレームの周波数特徴量と各母音の母音特徴量２１１との距離を算出して予め設定された母音判定しきい値と比較し、フレームの周波数特徴量といずれかの母音特徴量２１１の距離が母音判定しきい値以下であれば、当該フレームは母音であり当該母音特徴量２１１と対応する母音種別であると判定する。一方、母音抽出部２２０は、距離が母音判定しきい値以下の母音特徴量２１１がひとつもないフレームは母音ではないと判定する。
【００３６】
母音特徴量２１１がＧＭＭで記憶されている本例において、各母音特徴量２１１とフレームの周波数特徴量の距離Ｄは、数式１で算出される。
【数１】
0005619529.tif 000002
【００３７】
但し、Ｋは距離算出対象の母音特徴量２１１を構成している正規分布の数、ｋはそのインデックス番号（ｋ＝１，…，Ｋ）を表しており、ｎは周波数特徴量の次数、ｉはそのインデックス番号（ｉ＝１，…，ｎ）を表している。また、ｘｉは入力音響信号の周波数特徴量を表すベクトルのｉ番目要素、ｍｋ，ｉはｋ番目の正規分布の平均を表す平均ベクトルのｉ番目要素、σ２ｋ，ｉはｋ番目の正規分布におけるベクトルｉ番目要素の分散、ｗｋはｋ番目の正規分布の重み係数、をそれぞれ表している。
【００３８】
悲鳴判定部２２１は、母音抽出部２２０により抽出された母音部分が、予め設定された悲鳴音量しきい値以上の音量を有し、且つ予め設定された悲鳴判定時間以上継続していると母音部分が悲鳴の語尾であると判定し、悲鳴検知の旨を異常出力部２２２に出力する。
【００３９】
そのために悲鳴判定部２２１は、各フレームに対する母音抽出部２２０の抽出結果を参照するとともに各フレームの音量（パワー）を算出して悲鳴音量しきい値と比較し、母音が抽出され且つ音量が悲鳴音量しきい値以上であるフレームの連続出現数をカウントして連続出現数が悲鳴判定時間以上に達したときに悲鳴を検知する。
【００４０】
悲鳴音量しきい値及び悲鳴判定時間には悲鳴の語尾の検知に適した値が予め設定される。本例では、悲鳴音量しきい値を７０ｄＢ、悲鳴判定時間を２００ｍｓとする。因みにフレーム周期が１０ｍｓと設定される本例においてフレーム数に換算された悲鳴判定時間は２０フレームとなる。
【００４１】
上述したように悲鳴音声全体の発声内容は様々だが、悲鳴の語尾に注目することで抽出すべき発声内容を高々３種類に減少させることができる。これにより発声内容が想定外の悲鳴を検知し損ねる不具合が著しく減少する。
【００４２】
また母音部分を有することにより咳、くしゃみ、クラクション、扉を閉める音、きしみ音、缶等の落下音など、音量が大きく継続時間長の長い悲鳴以外の音を悲鳴と誤検知する不具合を減少させることができる。
【００４３】
また母音部分の音量の条件により通常音量の会話音声を悲鳴と誤検知する不具合を減少させることができる。
【００４４】
また母音部分の継続時間長の条件により笑い声のような大声の母音を悲鳴と誤検知する不具合を減少させることができる。
【００４５】
ここで大声での会話音声の語中において母音が連続する区間が含まれると、悲鳴と誤検知する可能性がある。そこで悲鳴判定部２２１は、母音抽出部２２０が抽出した母音種別を参照して同一母音が継続している区間のそれぞれを上記母音部分（判定区間）として悲鳴か否かを判定する。つまり母音種別が異なる区間は互いに異なる母音部分として悲鳴か否かが判定される。
【００４６】
これにより、例えば大声会話音声の語中に「あ」と「お」が連続する「あお」という区間が含まれ、「あお」の区間の長さが悲鳴判定時間に達していたとしても、「あ」の区間と「お」の区間が別々の判定区間となるので、この大声会話音声を悲鳴と誤検知する不具合を減少させることができる。
【００４７】
また想定外の大きな悲鳴が入力された場合、悲鳴部分の一部の音響信号が飽和（いわゆるクリッピング）して周波数特徴量が正しく分析できなくなり、母音部分であるにも拘わらず母音が抽出されない不具合が生じ得る。
【００４８】
そこで悲鳴判定部２２１は、音響信号の音量を予め設定された過大音量しきい値と比較して音量が過大音量しきい値を超えている音量過大部分を検出し、上記母音部分と連続している音量過大部分を母音抽出部２２０の抽出結果に依らず母音部分の一部として悲鳴か否かを判定する。過大音量しきい値は、悲鳴音量しきい値よりも高くクリッピング発生のおそれがある音量値に設定され、例えば１００ｄＢと設定する。
【００４９】
これにより悲鳴区間内に断続的なクリッピングが生じていても、クリッピングが原因で悲鳴を検知し損ねる不具合を防ぐことができる。
【００５０】
尚、クリッピングの原因がマイクへの悪戯など悲鳴以外である場合もあるため、悲鳴判定部２２１は、音量過大部分の継続時間長が予め設定された音割れ異常判定時間を超える場合は音割れ異常の旨を異常出力部２２２に出力する。
【００５１】
音割れ異常判定時間は、悲鳴判定時間より短い時間長が設定される。例えば、悲鳴判定時間が２００ｍｓに設定される本例において、音割れ異常判定時間を１００ｍｓに設定することができる。
【００５２】
また多様な雑音の中には偶然的に母音と類似した周波数特徴を有する人工音が存在する可能性がある。そこで悲鳴判定部２２１は、人工音を肉声である悲鳴と区別するために、さらに母音部分の基本周波数（ピッチ）又は音量を解析して揺らぎの有無を判定し、揺らぎが有るときに悲鳴と判定し、揺らぎが無いときは悲鳴と判定しない。
【００５３】
具体的には悲鳴判定部２２１は、音響信号の基本周波数をフレームごとに算出し、母音部分の基本周波数の分散値を算出して予め設定された揺らぎ判定しきい値と比較し、分散値が揺らぎしきい値以上であれば揺らぎあり、そうでなければ揺らぎなしを判定する。
【００５４】
異常出力部２２２は、悲鳴判定部２２１が悲鳴と判定すると、悲鳴検知の旨を表す異常信号を生成して通信部２３に出力する。また異常出力部２２２は、悲鳴判定部２２１が音割れ異常を判定すると、音割れ異常発生の旨を表す異常信号を生成して通信部２３に出力する。
【００５５】
通信部２３は、コントローラ３との通信を行なう電気回路であり、コントローラ３と所定の通信線にて接続され、異常出力部２２２から異常信号が入力されると当該信号をコントローラ３に伝送する。
【００５６】
［監視装置１の動作］
以下、悲鳴検知装置２の動作を中心に監視装置１の動作を説明する。
【００５７】
電源が投入されると、各部が初期化されて動作を始める。以降、悲鳴検知装置２においては、マイク部２０が金庫１０の周辺の音を音響信号に変換して信号処理部２２に出力し、信号処理部２２がマイク部２０からの音響信号を音響信号格納部２１０に循環記憶させる、という動作が、悲鳴検知処理とは独立して随時繰り返される。
また初期化において信号処理部２２は後述する悲鳴カウンタの値及び音割れカウンタの値をそれぞれ０に初期化する。
【００５８】
以下、図３のフローチャートを参照して、悲鳴検知装置２にて行なわれる悲鳴検知処理を説明する。
【００５９】
まず、信号処理部２２はフレーム周期が到来したか否かを確認する（Ｓ１）。すなわち信号処理部２２は音響信号格納部２１０にフレーム周期の長さの音響信号が新たに追加記憶されたか否かを確認する。フレーム周期が到来していなければ、信号処理部２２は到来まで待機する（Ｓ１にてＮＯ→Ｓ１）。
【００６０】
フレーム周期が到来すると（Ｓ１にてＹＥＳ）、信号処理部２２は、音響信号格納部２１０から最新の音響信号を予め設定されたフレーム長だけのフレームデータを読み出して、ハミング窓関数による窓掛け処理を行い、窓掛けしたフレームデータを悲鳴判定部２２１に入力する（Ｓ２）。
【００６１】
フレームデータを入力された悲鳴判定部２２１は、当該フレームデータの音量（パワー）を算出し（Ｓ３）、算出された音量を悲鳴音量しきい値と比較する（Ｓ４）。音量が悲鳴音量しきい値を超えていなければ（Ｓ４にてＮＯ）、悲鳴判定部２２１は悲鳴なしと判定し、信号処理部２２は悲鳴カウンタの値及び音割れカウンタをリセットして（Ｓ２０）、処理をステップＳ１に戻す。
【００６２】
一方、音量が悲鳴音量しきい値を超えていれば（Ｓ４にてＹＥＳ）、悲鳴判定部２２１は、悲鳴が発生している可能性があるとして処理をステップＳ５へ進める。
【００６３】
まず、悲鳴判定部２２１は、揺らぎ判定に備えてフレームデータから基本周波数を算出し（Ｓ５）、算出した基本周波数を記憶部２１に記憶させる。
【００６４】
次に、悲鳴判定部２２１は、ステップＳ３にて算出した音量を過大音量しきい値と比較する（Ｓ６）。
【００６５】
音量が過大音量しきい値以上であれば（Ｓ６にてＹＥＳ）、クリッピングによりフレームデータに対する母音判定を誤る可能性があるため母音判定は省略される。悲鳴判定部２２１は、音割れカウンタを１だけ増加させて（Ｓ１４）、増加させた音割れカウンタを音割れ異常判定時間と比較する（Ｓ１５）。
【００６６】
音割れカウンタが音割れ異常判定時間を超えていた場合（Ｓ１５にてＹＥＳ）、現在起きている事象に対して正しい判定を継続するのは不可能であるとして、悲鳴判定部２２１は音割れ異常発生の旨を異常出力部２２２に出力する（Ｓ１９）。この出力を受けた異常出力部２２２は音響信号格納部２１０に記憶されている１０秒間の音響信号を含めた音割れ異常信号を生成して通信部２３に出力する。音割れ異常信号はコントローラ３及び広域網４を経由して通信部２３から警備センター装置５に伝送される。
【００６７】
音量が過大音量しきい値未満であれば（Ｓ６にてＮＯ）、フレームデータに対する正常な母音判定が可能であるので、悲鳴判定部２２１はフレームデータを母音抽出部２２０に入力して母音判定を行なわせる。
【００６８】
フレームデータを入力された母音抽出部２２０は、当該フレームデータの周波数特徴量を算出する（Ｓ７）。
【００６９】
続いて母音抽出部２２０は、記憶部２１から「あ」の母音特徴量２１１、「え」の母音特徴量２１１及び「お」の母音特徴量２１１を順次読み出し、読み出した各母音特徴量２１１とフレームデータの周波数特徴量を比較してフレームデータが母音であるか否かを判定する（Ｓ８）。また母音抽出部２２０は、フレームデータが母音と判定された場合、その母音種別を特定する。
【００７０】
フレームデータが母音でないと判定された場合（Ｓ９にてＮＯ）、母音抽出部２２０は母音が抽出されなかった旨を悲鳴判定部２２１に出力し、この出力を受けた悲鳴判定部２２１は悲鳴なしと判定し、信号処理部２２は悲鳴カウンタの値及び音割れカウンタをリセットして（Ｓ２０）、処理をステップＳ１に戻す。
【００７１】
一方、フレームデータが母音であると判定されると（Ｓ９にてＹＥＳ）、母音抽出部２２０は、特定された母音種別が前回特定された母音種別と同一か否かを確認するとともに今回特定された母音種別を記憶部２１に記憶させる（Ｓ１０）。次回の確認では記憶部２１に記憶される今回の母音種別が前回の母音種別として参照される。
【００７２】
今回特定された母音種別が前回特定された母音種別と同一ならば（Ｓ１０にてＹＥＳ）、母音抽出部２２０は同母音が継続抽出された旨を悲鳴判定部２２１に出力する。この出力を受けた悲鳴判定部２２１は悲鳴カウンタを１だけ増加させる（Ｓ１１）。
【００７３】
他方、今回特定された母音種別が前回特定された母音種別と同一でなければ（Ｓ１０にてＮＯ）、母音抽出部２２０は新たな母音が抽出された旨を悲鳴判定部２２１に出力する。この出力を受けた悲鳴判定部２２１は悲鳴カウンタに１を設定するとともに（Ｓ１２）、音割れカウンタを０に設定する（Ｓ１３）。
【００７４】
こうしてステップＳ１１又はステップＳ１２にて悲鳴カウンタの値が更新されると、悲鳴判定部２２１は、悲鳴カウンタを悲鳴判定時間と比較する（Ｓ１６）。悲鳴カウンタが悲鳴判定時間を超えていない場合（Ｓ１６にてＮＯ）、悲鳴判定部２２１は判定継続中であるとし、信号処理部２２は以降の音響信号を処理するために、処理をステップＳ１に戻す。
【００７５】
一方、悲鳴カウンタが悲鳴判定時間を超えていれば（Ｓ１６にてＹＥＳ）、悲鳴判定部２２１は揺らぎ判定を行なう（Ｓ１７）。すなわち、悲鳴判定部２２１は、ステップＳ５にて時系列に蓄積してきた基本周波数の値を記憶部２１から読み出し、読み出した値の分散値を算出して揺らぎしきい値と比較し、分散値が揺らぎしきい値以上であれば揺らぎあり、そうでなければ揺らぎなしを判定する。
【００７６】
揺らぎありが判定されると（Ｓ１８にてＹＥＳ）、悲鳴判定部２２１は、悲鳴が発生していると判定し、悲鳴検知の旨を異常出力部２２２に出力する（Ｓ１９）。この出力を受けた異常出力部２２２は音響信号格納部２１０に記憶されている１０秒間の音響信号を含めた異常信号を生成して通信部２３に出力する。異常信号はコントローラ３及び広域網４を経由して通信部２３から警備センター装置５に伝送される。またコントローラ３は警報装置６を動作させる。
【００７７】
こうして異常信号が出力されると、信号処理部２２は、引き続き悲鳴検知を行うために悲鳴カウンタ及び音割れカウンタを０にリセットして（Ｓ２０）、処理をステップＳ１に戻す。尚、信号処理部２２は、カウンタのリセットに伴い、蓄積していた基本周波数の値や前回特定された母音種別のデータもクリアする。
【００７８】
一方、揺らぎなしが判定されると（Ｓ１８にてＮＯ）、信号処理部２２は、引き続き悲鳴検知を行うために悲鳴カウンタ及び音割れカウンタを０にリセットして（Ｓ２０）、処理をステップＳ１に戻す。
【００７９】
＜変形例＞
上記実施形態において母音特徴量２１１は各母音の分布を表すＧＭＭの形態で記憶された。別の実施形態において母音特徴量２１１は各母音の平均的な特徴ベクトル又は代表的な特徴ベクトルの形態で記憶してもよい。この場合、母音抽出部２２０はこれらの特徴ベクトルと入力音響信号の周波数特徴量との距離を算出して母音を抽出する。
【００８０】
また上記実施形態において周波数特徴量としてＬＰＣケプストラムを例示した。周波数特徴量はこれに限らず、ＭＦＣＣ（Ｍｅｌ−Ｆｒｅｑｕｅｎｃｙ  Ｃｅｐｓｔｒａｌ  Ｃｏｅｆｆｉｃｉｅｎｔｓ）など音声分析で知られている様々なスペクトルパラメータを利用することができる。
【００８１】
上記実施形態において悲鳴判定部２２１は基本周波数の分散値によって揺らぎ判定を行なった。別の実施形態において悲鳴判定部２２１は基本周波数の変動幅によって揺らぎ判定を行うこともできる。すなわち悲鳴判定部２２１は、ステップＳ５にて時系列に蓄積してきた基本周波数から最大値と最小値を抽出してその差を変動幅として算出し、算出された変動幅が変動幅に対して予め設定された揺らぎ判定しきい値を超えていれば揺らぎあり、そうでなければ揺らぎなしと判定する。
【００８２】
さらに別の実施形態において悲鳴判定部２２１は基本周波数の代わりに音量を用いて揺らぎ判定を行なうこともできる。すなわち悲鳴判定部２２１は、ステップＳ４にて悲鳴音量を超えていると判定されたときにステップＳ３にて算出された音量を時系列に蓄積し、これらの分散又は変動幅を算出して、算出された分散又は変動幅がこれらに対して予め設定された揺らぎ判定しきい値を超えていれば揺らぎあり、そうでなければ揺らぎなしと判定する。このように音量を揺らぎ判定に用いる場合はステップＳ５を省略することができ、処理量を軽減できる利点がある。
【００８３】
また上記実施形態において母音抽出部２２０は予め記憶された母音特徴量２１１との比較により母音部分を抽出した。別の実施形態において母音抽出部２２０は、予め記憶された母音特徴量２１１を用いずに、入力音響信号における周波数特徴量の継続性と揺らぎの有無から母音部分を抽出する。すなわち母音抽出部２２０は入力音響信号において前後するフレーム間で周波数特徴量を比較して互いに類似しているか否かを判定するとともに入力音響信号の各フレームの基本周波数を抽出し、予め設定された母音継続時間以上（例えば１００ｍｓ以上）連続して類似が判定された連続区間における基本周波数の揺らぎを判定し、揺らぎがあると判定された連続区間を母音部分として抽出する。このとき基本周波数が抽出されないフレームが含まれる区間は母音部分として抽出しない或いはそもそも連続区間として抽出しないのが好ましい。他方、母音抽出部２２０は、同一周波数特徴量が連続していない区間、基本周波数が抽出されない区間、又は揺らぎが判定されない区間を母音部分として抽出しない。つまり同一周波数特徴量が継続していることと基本周波数が有ることから子音を排除し、基本周波数の揺らぎが有ることから雑音を排除して母音部分を抽出するのである。尚、この場合、悲鳴判定部２２１による揺らぎ判定は省略しても良い。悲鳴の語尾の中には稀に２ｋＨｚ近い基本周波数を有するものもあるが、周波数特徴量の継続性と揺らぎの有無から母音部分を抽出することでこのように稀な特性を有する悲鳴であっても検知できる。
【符号の説明】
【００８４】
１・・・監視装置
２・・・悲鳴検知装置
２０・・・マイク部
２１・・・記憶部
２１０・・・音響信号格納部
２１１・・・母音特徴量
２２・・・信号処理部
２２０・・・母音抽出部
２２１・・・悲鳴判定部
２２２・・・異常出力部
２３・・・通信部
３・・・コントローラ
４・・・広域網
５・・・警備センター装置
６・・・警報装置
７・・・監視カメラ
８・・・録画装置
１０・・・金庫
【図２】
0005619529.tif 000003
【図１】
0005619529.tif 000004
【図３】
0005619529.tif 000005